(57)【要約】【課題】  おみくじをインテリアやアクセサリーなど様々な形で利用できるようにすることで、持ち帰ったおみくじを有効に活用できるようにすること。【解決手段】  一方の端部で軸支される複数の骨片３,３０と、前記骨片３,３０の自由端側に開閉自在に貼着される扇面部１０とからなる扇子１と、前記扇子１を閉じた状態に維持する結束材とからなり、前記扇子１の扇面部１０に、吉凶禍福を占うおみくじの運勢２及び内容文３０を記載すること。【選択図】  図１
0003102567.tif 000002
【実用新案登録請求の範囲】
【請求項１】
一方の端部で軸支される複数の骨片と、前記骨片の自由端側に開閉自在に貼着される扇面部とからなる扇子と、
前記扇子を閉じた状態に維持する結束材とからなり、
前記扇面部には、吉凶禍福を占うおみくじの運勢及び内容文が記載されていることを特徴とする扇子おみくじ。  
【請求項２】
一方の端部で軸支される複数の骨片と、前記骨片の自由端側に開閉自在に貼着される扇面部とからなる扇子と、
前記扇子を閉じた状態に維持する結束材と、
前記骨片を軸支する軸支部材に設けられ、前記扇子を他の物品に取付けるための取付部材とからなり、
前記扇面部には、吉凶禍福を占うおみくじの運勢及び内容文が記載されていることを特徴とする扇子おみくじ。  
【請求項３】
請求項１又は２に記載の扇子おみくじにおいて、
前記扇子には、前記骨片を挟むように表裏二枚の扇面部が貼着されており、
一方の扇面部には、前記おみくじの運勢及び内容文が記載され、
他方の扇面部には、祈願文記入欄が設けられていることを特徴とする扇子おみくじ。
【請求項４】
請求項１又は２に記載の扇子おみくじにおいて、
前記扇子には、前記骨片を挟むように表裏二枚の扇面部が貼着されており、
前記おみくじの運勢及び内容文が記載されている扇面部は、剥離可能に貼着されていることを特徴とする扇子おみくじ。
【考案の詳細な説明】
【技術分野】
【０００１】
本考案は、扇子型のおみくじに関するものである。
【背景技術】
【０００２】
多くの神社や寺社仏閣には、参拝者の吉凶禍福を占うおみくじ授与所が設置されている。
おみくじは、単に吉凶禍福を占うだけのものではなく、持ち帰って縁起の良いおみくじを心願成就の御守りとして身に付けたり、おみくじの内容を戒めや励みとして目標に向かって努力するという利用方法もある。しかしながら、現在、おみくじはその場限りの占いと考えている被授与者が多く、ほとんどの人がおみくじの運勢や内容文に関係なく神社等の結付け場所に結び付けて帰っている。
【０００３】
一方、おみくじには、折畳まれた紙片に運勢と内容文、和歌などが記載された一般的な紙おみくじの他に、各神社由来の縁起小物や、御守、根付、キーホルダー、陶器などが付いたものや、水に浸すと文字が浮き出てくるものなど、被授与者を楽しませる趣向を凝らしたものもある。
上記縁起小物付きのおみくじは、おみくじと共に授与した縁起小物を持ち帰って御守りや参拝祈念としてキーホルダーや携帯電話のストラップ、置物として利用することができることから、参拝客に人気が高い。
【考案の開示】
【考案が解決しようとする課題】
【０００４】
しかしながら、上記縁起小物付きのおみくじは、通常、縁起小物に紙おみくじが添付された形で授与されるため、紙おみくじは神社等に結び付け、縁起小物だけを持ち帰る人が多い。
また、前記紙おみくじを持ち帰って御守りや戒めとして身に付ける場合、アクセサリーやインテリアとして利用できる前記縁起小物と違い、小さく折畳んで財布などに入れて持ち歩くのが一般的である。そのため、前記おみくじに記載された内容を読み返すことはめったにない。
本考案は、上記事情を鑑みてなされたものであり、おみくじをインテリアやアクセサリーなど様々な形で利用できるようにすることで、持ち帰ったおみくじを有効に活用できるようにすることを課題とする。
【課題を解決するための手段】
【０００５】
（１）請求項１に係る考案の扇子おみくじは、『一方の端部で軸支される複数の骨片と、前記骨片の自由端側に開閉自在に貼着される扇面部とからなる扇子と、前記扇子を閉じた状態に維持する結束材とからなり、前記扇面部には、吉凶禍福を占うおみくじの運勢及び内容文が記載されている』ことを特徴とするものである。
これによれば、扇子の扇面部におみくじの運勢（大吉・中吉・吉など）及び内容文（項目ごとの占い結果）が記載されているから、持ち帰って扇子を開いておみくじを壁面や棚にディスプレイすることにより、財布等から取り出す手間なく、おみくじの内容文を読み返すことができる。また、扇子として身に付けることもできる。
前記扇子は、結束材によって閉じた状態に維持されているから、結束材が解かれるまで扇子を開いておみくじの内容を見ることができない。
【０００６】
（２）請求項２に係る考案の扇子おみくじは、『一方の端部で軸支される複数の骨片と、前記骨片の自由端側に開閉自在に貼着される扇面部とからなる扇子と、前記扇子を閉じた状態に維持する結束材と、前記骨片を軸支する軸支部材に設けられ、前記扇子を他の物品に取付けるための取付部材とからなり、前記扇面部には、吉凶禍福を占うおみくじの運勢及び内容文が記載されている』ことを特徴とする。
これによれば、請求項１と同様に、持ち帰っておみくじを壁面や棚にディスプレイしておみくじの内容文を読み返すことができる。また、前記取付部材によって他の物品に取付けることができるから、扇子のサイズが小さい扇子おみくじの場合は、キーホルダーや携帯電話のストラップ等のアクセサリーとして利用することもできる。
さらに、前記扇子のサイズに合わせて前記取付部材を工夫することにより、おみくじを様々な形で利用することができる。ここで、前記取付部材としては、紐やチェーンを挿通可能な環状金具や、開閉自在な係止リング、吸盤、クリップ、マグネット、粘着シール、ピン、輪ゴム、髪飾りの留め具、鉛筆キャップ等が考えられる。
【０００７】
（３）請求項３に係る考案の扇子おみくじは、『前記扇子には、前記骨片を挟むように表裏二枚の扇面部が貼着されており、一方の扇面部には、前記おみくじの運勢及び内容文が記載され、他方の扇面部には、祈願文記入欄が設けられている』ことを特徴とする。
これによれば、おみくじを持ち帰りたくない場合に、奉納絵馬のように前記祈願文記入欄に願い事を書いて神社に納めて帰ることができる。
【０００８】
（４）請求項４に係る考案の扇子おみくじは、『前記扇子には、前記骨片を挟むように表裏二枚の扇面部が貼着されており、前記おみくじの運勢及び内容文が記載されている扇面部は、剥離可能に貼着されている』ことを特徴とする。
これによれば、被授与者にとっておみくじの内容がよくなかった場合に、おみくじの運勢及び内容文が記載された扇面部を剥がし取って、従来の紙製おみくじと同様に神社等に設けられた結び場所に結び付けて、扇子だけを持ち帰ることができる。
【考案の効果】
【０００９】
以上のように、請求項１に係る考案によれば、扇子の扇面部におみくじの運勢及び内容文が記載されているから、扇子おみくじを破魔矢や熊手と同じように開運招福を願って壁面や神棚に飾ったり、インテリアとして棚や玄関などにディスプレイしたり、教訓や戒めとして机や勉強部屋に飾ることができる。また、扇子のサイズが小さい場合には、キーホルダーや携帯電話のストラップのアクセサリーとしても利用することができる。
これにより、多くの被授与者がおみくじを持ち帰って御守りや励みとして有効に利用するようになると考えられる。また、おみくじを目に見える場所に飾ることによって、持ち帰っても財布等にしまい込んでめったに読み返さすことがなかった内容文を、繰り返し読んで日常生活に活かすことができる。
【００１０】
さらに、多くの被授与者がおみくじを持ち帰るようになることにより、おみくじの結び付けにより神社等の社殿や樹木が傷んだり、結び付けられたおみくじが解けて地面に散乱して景観を損なうといった授与者側の問題も解消することができる。
また、結束材によって扇子が閉じた状態に維持されているから、三宝や箱に収容された多数のおみくじから被授与者が引く場合に、未授与のおみくじが不用意に開いたり、被授与者が扇子を開いておみくじを選ぶことを防止することができる。
【００１１】
請求項２に係る考案によれば、扇子を他の物品に取付けるための取付部材を設けたことにより、請求項１と同様に、おみくじをインテリアやアクセサリーとして利用できるようにすることで、持ち帰ったおみくじを日常生活に活用することができる。
また、前記扇子のサイズに合わせて取付部材を工夫することにより、ディスプレイ方法や利用方法の幅が広がるから、持ち帰ったおみくじを被授与者の好みに合わせてより有効に且つ楽しく利用することができる。
【００１２】
請求項３に係る考案によれば、おみくじが記載された扇面部の裏側の面に祈願文記入欄を設けたことにより、前記祈願文記入欄に願い事を書いて神社等に奉納できるから、おみくじを持ち帰らないことで損をした気分になることがなく、すべてのおみくじ被授与者が満足することができる。
【００１３】
請求項４に係る考案によれば、おみくじが記載された扇面部を剥離自在としたことにより、持ち帰りたくない運勢や内容文であった場合に、前記おみくじが記載された扇面部を剥がして神社等の結び場所に結び付け、扇子だけを持ち帰ることができる。また、持ち帰った後に、必要に応じておみくじが記載された扇面部を剥がしてインテリアやアクセサリーとして利用することができる。
そのため、従来のおみくじと同様に、持ち帰りたくないおみくじを神社等に納めて帰ることができるから、被授与者の違和感が少なく満足度も高い。
【考案を実施するための最良の形態】
【００１４】
以下に、本考案実施の形態について添付図面を参照しながら説明する。
＜実施の形態１＞
本考案実施の形態にかかる扇子おみくじを図１に示している。
この例のものは、扇子１の両端に位置する一対の親骨片３と、前記一対の親骨片３に挟まれた多数の小骨片３０と、前記親骨片３及び小骨片３０を一方の端部で軸支する軸支部材３１と、前記親骨片３及び小骨片３０の自由端側に貼着されるおみくじの運勢２と内容文２２が記載された扇面部１０と、前記軸支部材３１に設けられた取付部材である取付け金具５とから構成されている。
【００１５】
前記扇面部１０は、前記親骨片３及び小骨片３０の片面のみに貼着されており、図３に示されるように、裏側は前記小骨片３０が剥き出しの状態になっている。前記扇面部１０の表面には、図１に示されるように、中央部分に“第一番”というおみくじの番号と“大吉”という運勢２が大きく記載され、前記運勢２の両側に前記扇面部１０の折目線に沿って“願い事，進学就職，恋愛・・・・，金運”の各項目についての占い結果である内容文２２が記載されている。
【００１６】
前記取付け金具５は、開閉自在な金属製の環状リングであり、前記軸支部材３１の一方の留め具３３に形成された凸部には、Ｃ字状に開環された前記取付け金具５を挿通可能な貫通孔が形成されている。
前記結束材４は、簡単に破ることのできる帯幅の小さい紙帯であり、閉じた状態の前記扇面部１０の中央部分に一周以上巻き付けられた後に糊付けされている。
この例の扇子おみくじは、おみくじの運勢２や内容文２２が異なる２５種類の扇面部１０からなっている。また、前記親骨片３及び小骨片３０は竹製であり、前記親骨片３の長さは８cm程度である。
【００１７】
上記のような構成であるから、開運招福を願って持ち帰った扇子おみくじを壁面や神棚に飾ったり、インテリアとしてディスプレイしたり、教訓や戒めとして机や勉強部屋に飾ることができる。また、前記扇子１のサイズが小さく、前記軸支部材３１に取付け金具５が設けられているから、図４に示されるように、前記取付け金具５にボールチェーン６等を挿通させて携帯電話７のアクセサリーをはじめ、キーホルダーとして利用することもできる。
【００１８】
これにより、現在、その場限りの占いとしか考えられていないおみくじを、多くの被授与者が持ち帰って御守りや励みとして有効に活用するようになると考えられる。また、持ち帰っても財布等にしまい込んだままになっていたおみくじを、目に見える場所に飾ることで繰り返し読んで日常生活に活かすことができる。
さらに、多くの被授与者がおみくじを持ち帰るようになることで、おみくじの結び付けによって社殿や樹木が傷んだり、解けたおみくじが地面に散乱して景観を損なうという神社側の問題も解消することができる。
この例のものは、前記結束材４によって扇子１を閉じた状態に維持できるから、未授与のおみくじの扇子１が不用意に開いたり、被授与者が扇子を開いておみくじ選別することを防止することができる。
【００１９】
＜実施の形態２＞
図５には、おみくじの運勢２及び内容文２２が記載された扇面部１０ａの裏側に貼着された扇面部１０ｂに被授与者の願い事などを記入する祈願文記入欄１３を設けた扇子おみくじを示している。
この例のものは、前記小骨片３０を挟むように表裏二枚の扇面部１０ａ,１０ｂが貼着されている点と、取付け金具５に紐６０が挿通されている点以外は、前述の実施の形態１とほぼ同じ構成となっている。
【００２０】
このような構成であるから、おみくじの運勢２や内容文２２が被授与者にとって良くなかったり、おみくじを持ち帰りたくない場合、おみくじを楽しんだ後に、図５に示されるように、前記祈願文記入欄１３に“今年も家族みんなが健康にすごせますように”といった願い事を書き込んで、絵馬と同様に奉納して帰ることできる。そのため、扇子おみくじを神社等に納めて帰る場合にも、被授与者が損をした気分になることがなく、すべての被授与者が満足することができる。
また、前記祈願文記入欄１３に願い事を書き込んだ後、前記扇子１を閉じて奉納することができるから、絵馬よりも書き込んだ願い事が他人の目に触れにくいから、従来の絵馬の公開性に抵抗がある人にも利用し易い。
【００２１】
＜実施の形態３＞
図６には、おみくじの運勢２や内容文２２が記載された扇面部１０ａを剥離することができる扇子おみくじを示している。
この例のものは、前記小骨片３０を挟むように表裏二枚の扇面部１０ａ,１０ｂが貼着されている点と、前記扇面部１０ａが剥離自在に貼着されている点以外は、前述の実施の形態１とほぼ同じ構成となっている。
【００２２】
前記おみくじが記載された扇面部１０ａの一端は、図６に示されるように、剥離が容易となるように剥がし口１１が目立つように設けられている。また、剥離されない前記扇面部１０ｂには、宝船などの縁起物の絵１２が描かれている。
この例のものは、前記親骨片３に神社の名称が印字されており、前記扇子１を閉じた状態でも何処で授与されたものか分かるようになっている。
【００２３】
このような構成であるから、おみくじの運勢２や内容文２２が被授与者にとってあまり良いものでなかった場合に、図６に示されるように、前記扇面部１０ａを剥がし取って神社等のおみくじ結び場所に結びつけて帰ることができる。そして、前記扇面部１０ａが剥離された扇子１だけを持ち帰って、インテリアやアクセサリーとして利用することができる。そのため、従来の神社等におみくじを結び付けて帰るという風習に慣れている被授与者にとって違和感がなく、参拝祈念として扇子を持ち帰れるので満足度も高い。
また、扇子おみくじを持ち帰って御守りや戒めとして十分活用した後に、前記おみくじが記載された扇面部１０ａを剥がして、扇子やアクセサリーとして利用することもできる。
【００２４】
＊その他
本考案実施の形態の扇子おみくじは、上記した実施の形態に限られるものではない。
前述の例において、前記親骨片３及び小骨片３０の軸支部材３１に取付けられた取付部材は、環状の取付け金具５であったが、図７(a)(b)に示されるように、紙片などを挟むクリップ５０であっても、ガラス面に吸着可能な吸盤５１であってもよく、上記以外にも、マグネット、粘着シール、輪ゴム、かんざし等の髪飾りの留め具などであってもよい。
【００２５】
前記結束材４は、帯幅の小さい紙帯だけでなく、図７(a)のような輪ゴムであっても、図７(b)に示されるように、おみくじの運勢２及び内容文２２が記載部分を完全に被覆するように巻かれるものであってもよい。
前述の扇子おみくじは、箱や三宝から被授与者が引く形で授与される場合を想定しての仕様であり、授与前におみくじの内容が分からないようになっている。しかし、おみくじ筒から番号が書かれたおみくじ棒を引き出し、授与所において番号を告げておみくじを授与する場合には、取り間違いがないように、前記結束材４の表面におみくじの番号を記載する仕様としてもよい。
【００２６】
前述の例においては、サイズが小さい扇子１を用いているが、前記扇子１は、日常使いされている扇子１と同程度の大きさであっても、もっと大きなものであってもよい。また、前述の実施の形態１は、前記親骨片２及び小骨片３０の片面のみに扇面部１０が貼着されているが、表裏両面に貼着されるものであってもよい。
【図面の簡単な説明】
【００２７】
【図１】本考案実施の形態１に係る扇子おみくじを開いた状態を示す正面図である。
【図２】開封前の扇子おみくじを示す正面図である。
【図３】図１の背面図である。
【図４】扇子おみくじの使用状態を示す説明図である。
【図５】実施の形態２に係る扇子おみくじの背面図である。
【図６】実施の形態３に係る扇子おみくじの使用方法を説明する説明図である。
【図７】(a)クリップが取付けられた扇子おみくじを示す正面図。(b)吸盤が取付けられた扇子おみくじを示す正面図。
【符号の説明】
【００２８】
１    扇子
１０，１０a，１０b  扇面部
１３  祈願文記入欄
２    運勢
２０  内容文
３    親骨片
３０  小骨片
３１  軸支部材
４    結束材
５    取付け金具
５０  クリップ
５１  吸盤
６    ボールチェーン
６０  紐
【図１】
0003102567.tif 000003
【図２】
0003102567.tif 000004
【図３】
0003102567.tif 000005
【図４】
0003102567.tif 000006
【図５】
0003102567.tif 000007
【図６】
0003102567.tif 000008
【図７】
0003102567.tif 000009